(57)【要約】      （修正有）【課題】第１リンク部材よりも奥側で前後方向において第１リンク部材と重なる領域と、第３リンク部材よりも手前側で前後方向において第３リンク部材と重なる領域と、の２つの領域が左右方向において重なる領域内にスライド部材の一部が位置する構成では、第１リンク部材とだい３リンク部材との交差領域は、スライド部材よりも上方にしか位置することが出来ない従来方式に比べ、感光ドラムから離れる方向への光プリントヘッドの移動可能量を増加させる。【解決手段】スライド部材７１９は、第１リンク部材７１０よりもスライド移動の方向における上流側で第１リンク部材と光プリントヘッドの長手方向において重なる領域と、第３リンク部材７１１よりもスライド移動の方向における下流側で第３リンク部材と前記長手方向において重なる領域と、が第１リンク部材の回動軸線の方向において重なる領域より前記回動軸線の方向において外側に配置されている。【選択図】図８
2019200240.tif 000002
【特許請求の範囲】
【請求項１】
装置本体に対して回転可能な感光ドラムと、
前記感光ドラムを露光するための位置である露光位置から前記露光位置よりも前記感光ドラムから離れた退避位置に向けて移動可能な光プリントヘッドと、
前記装置本体の手前側から奥側へ向けて前記光プリントヘッドの長手方向にスライド移動するスライド部材と、
一端側が前記長手方向における前記スライド部材の手前側に回動可能に接続され且つ他端側が前記長手方向における前記光プリントヘッドの手前側に回動可能に接続され、前記一端側が前記他端側よりも前記スライド移動の方向における下流側となるように前記スライド部材と前記光プリントヘッドとに接続された第１リンク部材と、
一端側が前記長手方向における前記スライド部材の奥側に回動可能に接続され且つ他端側が前記長手方向における前記光プリントヘッドの奥側に回動可能に接続され、前記一端側が前記他端側よりも前記スライド移動の方向における下流側となるように前記スライド部材と前記光プリントヘッドとに接続された第２リンク部材と
前記長手方向における前記スライド部材の手前側の端部よりも前記スライド移動の方向における下流側で前記装置本体に対して回動可能に接続された第３リンク部材であって、前記装置本体との接続部分よりも前記スライド移動の方向における下流側で前記第１リンク部材の一端側と前記第１リンク部材の他端側との間に回動可能に接続されるために、一部が前記第１リンク部材の回動軸線の方向において前記第１リンク部材と重なるように配置された前記第３リンク部材と、を備え、
前記光プリントヘッドが前記退避位置に位置する場合において、前記第１リンク部材と前記第３リンク部材とが前記回動軸線の方向において重なる領域のうち少なくとも一部の領域が前記スライド部材と前記回動軸線の方向において重なるように、前記スライド部材は、前記第１リンク部材よりも前記スライド移動の方向における上流側で前記第１リンク部材と前記長手方向において重なる領域と、前記第３リンク部材よりも前記スライド移動の方向における下流側で前記第３リンク部材と前記長手方向において重なる領域と、が前記回動軸線の方向において重なる領域より前記回動軸線の方向において外側に配置されていることを特徴とする画像形成装置。
【請求項２】
前記スライド部材は前記第３リンク部材と前記回動軸線の方向において重なり且つ前記スライド部材は前記第１リンク部材と前記第３リンク部材とは前記長手方向と前記回動軸線の方向との双方に垂直な方向において重ならないように配置されていることを特徴とする請求項１に記載の画像形成装置。
【請求項３】
前記光プリントヘッドが前記退避位置に位置する場合において、前記第１リンク部材よりも前記スライド移動の方向における上流側で前記第１リンク部材と前記長手方向において重なる領域と、前記第３リンク部材よりも前記スライド移動の方向における下流側で前記第３リンク部材と前記長手方向において重なる領域と、が前記回動軸線の方向において重なる領域は、全領域が前記スライド部材と前記回動軸線の方向において重なっていることを特徴とする請求項１または請求項２に記載の画像形成装置。
【請求項４】
前記第１リンク部材の一端側と前記第２リンク部材の一端側との間で前記装置本体に対して回動可能に接続された第４リンク部材であって、前記装置本体との接続部分よりも前記スライド移動の方向における下流側で前記第２リンク部材の一端側と前記第２リンク部材の他端側との間に回動可能に接続されるために、一部が前記回動軸線の方向において前記第２リンク部材と重なるように配置された前記第４リンク部材を備え、
前記光プリントヘッドが前記退避位置に位置する場合において、前記第２リンク部材と前記第４リンク部材とが前記回動軸線の方向において重なる領域のうち少なくとも一部の領域が前記スライド部材と前記回動軸線の方向において重なるように、前記スライド部材は、前記第２リンク部材よりも前記スライド移動の方向における上流側で前記第２リンク部材と前記長手方向において重なる領域と、前記第４リンク部材よりも前記スライド移動の方向における下流側で前記第４リンク部材と前記長手方向において重なる領域と、が前記回動軸線の方向において重なる領域より前記回動軸線の方向において外側に配置されていることを特徴とする請求項１から請求項３のいずれかに記載の画像形成装置。
【請求項５】
前記スライド部材は、前記第２リンク部材よりも前記スライド移動の方向における上流側で前記第２リンク部材と前記長手方向において重なる領域と、前記第４リンク部材よりも前記スライド移動の方向における下流側で前記第４リンク部材と前記長手方向において重なる領域と、が前記回動軸線の方向において重なる領域よりも外側に配置されていることを特徴とする請求項４に記載の画像形成装置。
【請求項６】
前記スライド部材は、前記第４リンク部材と前記回動軸線の方向において重なり且つ前記第２リンク部材と前記第４リンク部材とは前記長手方向と前記回動軸線の方向との双方に垂直な方向において重ならないように配置されていることを特徴とする請求項４または請求項５に記載の画像形成装置。
【請求項７】
前記光プリントヘッドが前記退避位置に位置する場合において、前記第２リンク部材よりも前記スライド移動の方向における上流側で前記第２リンク部材と前記長手方向において重なる領域と、前記第４リンク部材よりも前記スライド移動の方向における下流側で前記第４リンク部材と前記長手方向において重なる領域と、が前記回動軸線の方向において重なる領域は、全領域が前記スライド部材と前記回動軸線の方向において重なっていることを特徴とする請求項４から請求項６のいずれか１項に記載の画像形成装置。
【請求項８】
装置本体に対して回転可能な感光ドラムと、
前記感光ドラムを露光するため位置である露光位置から前記露光位置よりも前記感光ドラムから退避した退避位置に向けて移動可能な光プリントヘッドと、
前記装置本体の手前側から奥側へ向けて前記光プリントヘッドの長手方向にスライド移動するスライド部材と、
一端側が前記長手方向における前記スライド部材の奥側に回動可能に接続され且つ他端側が前記長手方向における前記光プリントヘッドの奥側に回動可能に接続され、前記一端側が前記他端側よりも前記スライド移動の方向における下流側となるように前記スライド部材と前記光プリントヘッドとに接続された第１リンク部材と、
一端側が前記長手方向における前記スライド部材の手前側に回動可能に接続され且つ他端側が前記長手方向における前記光プリントヘッドの手前側に回動可能に接続され、前記一端側が前記他端側よりも前記スライド移動の方向における下流側となるように前記スライド部材と前記光プリントヘッドとに接続された第２リンク部材と、
前記第１リンク部材の一端側と前記第２リンク部材の一端側との間において前記装置本体に対して回動可能に接続された第３リンク部材であって、前記装置本体との接続部分よりも前記スライド移動の方向における下流側で前記第１リンク部材の一端側と前記第１リンク部材の他端側との間に回動可能に接続されるために、一部が前記第１リンク部材の回動軸線の方向において前記第１リンク部材と重なるように配置された前記第３リンク部材と、を備え、
前記光プリントヘッドが前記退避位置に位置する場合において、前記第１リンク部材と前記第３リンク部材とが前記回動軸線の方向において重なる領域のうち少なくとも一部の領域が前記スライド部材と前記回動軸線の方向において重なるように、前記スライド部材は、前記第１リンク部材よりも前記スライド移動の方向における上流側で前記第１リンク部材と前記長手方向において重なる領域と、前記第３リンク部材よりも前記スライド移動の方向における下流側で前記第３リンク部材と前記長手方向において重なる領域と、が前記回動軸線の方向において重なる領域より前記回動軸線の方向において外側に配置されていることを特徴とする画像形成装置。
【請求項９】
前記スライド部材は前記第３リンク部材と前記回動軸線の方向において重なり且つ前記スライド部材は前記第１リンク部材と前記第３リンク部材とは前記長手方向と前記回動軸線の方向との双方に垂直な方向において重ならないように配置されていることを特徴とする請求項８に記載の画像形成装置。
【請求項１０】
前記光プリントヘッドが前記退避位置に位置する場合において、前記第１リンク部材よりも前記スライド移動の方向における上流側で前記第１リンク部材と前記長手方向において重なる領域と、前記第３リンク部材よりも前記スライド移動の方向における下流側で前記第３リンク部材と前記長手方向において重なる領域と、が前記回動軸線の方向において重なる領域は、全領域が前記スライド部材と前記回動軸線の方向において重なっていることを特徴とする請求項８または請求項９に記載の画像形成装置。
【請求項１１】
前記長手方向における前記スライド部材の手前側の端部よりも前記スライド移動の方向における下流側で前記装置本体に対して回動可能に接続された第４リンク部材であって、前記装置本体との接続部分よりも前記スライド移動の方向における下流側で前記第２リンク部材の一端側と前記第２リンク部材の他端側との間に回動可能に接続されるために、一部が前記回動軸線の方向において前記第２リンク部材と重なるように配置された前記第４リンク部材を備え、
前記光プリントヘッドが前記退避位置に位置する場合において、前記第２リンク部材と前記第４リンク部材とが前記回動軸線の方向において重なる領域のうち少なくとも一部の領域が前記スライド部材と前記回動軸線の方向において重なるように、前記スライド部材は、前記第２リンク部材よりも前記スライド移動の方向における上流側で前記第２リンク部材と前記長手方向において重なる領域と、前記第４リンク部材よりも前記スライド移動の方向における下流側で前記第４リンク部材と前記長手方向において重なる領域と、が前記回動軸線の方向において重なる領域より前記回動軸線の方向において外側に配置されていることを特徴とする請求項８から請求項１０のいずれか１項に記載の画像形成装置。
【請求項１２】
前記スライド部材は、前記第２リンク部材よりも前記スライド移動の方向における上流側で前記第２リンク部材と前記長手方向において重なる領域と、前記第４リンク部材よりも前記スライド移動の方向における下流側で前記第４リンク部材と前記長手方向において重なる領域と、が前記回動軸線の方向において重なる領域よりも外側に配置されていることを特徴とする請求項１１に記載の画像形成装置。
【請求項１３】
前記スライド部材は前記第４リンク部材と前記回動軸線の方向において重なり且つ前記スライド部材は前記第２リンク部材と前記第４リンク部材とは前記長手方向と前記回動軸線の方向との双方に垂直な方向において重ならないように配置されていることを特徴とする請求項１１または請求項１２に記載の画像形成装置。
【請求項１４】
前記光プリントヘッドが前記退避位置に位置する場合において、前記第２リンク部材よりも前記スライド移動の方向における上流側で前記第２リンク部材と前記長手方向において重なる領域と、前記第４リンク部材よりも前記スライド移動の方向における下流側で前記第４リンク部材と前記長手方向において重なる領域と、が前記回動軸線の方向において重なる領域は、全領域が前記スライド部材と前記回動軸線の方向において重なっていることを特徴とする請求項１１から請求項１３のいずれか１項に記載の画像形成装置。
【請求項１５】
装置本体に対して回転可能な感光ドラムと、
前記感光ドラムを露光するための位置である露光位置から前記露光位置よりも前記感光ドラムから退避した退避位置に向けて移動可能な光プリントヘッドと、
前記装置本体の奥側から手前側へ向けて前記光プリントヘッドの長手方向にスライド移動するスライド部材と、
一端側が前記長手方向における前記スライド部材の手前側に回動可能に接続され且つ他端側が前記長手方向における前記光プリントヘッドの手前側に回動可能に接続され、前記一端側が前記他端側よりも前記スライド移動の方向における下流側となるように前記スライド部材と前記光プリントヘッドとに接続された第１リンク部材と、
一端側が前記長手方向における前記スライド部材の奥側に回動可能に接続され且つ他端側が前記長手方向における前記光プリントヘッドの奥側に回動可能に接続され、前記一端側が前記他端側よりも前記スライド移動の方向における下流側となるように前記スライド部材と前記光プリントヘッドとに接続された第２リンク部材と、
前記第１リンク部材の一端側と前記第２リンク部材の一端側との間において前記装置本体に対して回動可能に接続された第３リンク部材であって、前記装置本体との接続部分よりも前記スライド移動の方向における下流側で前記第１リンク部材の一端側と前記第１リンク部材の他端側との間に回動可能に接続されるために、一部が前記第１リンク部材の回動軸線の方向において前記第１リンク部材と重なるように配置された前記第３リンク部材と、を備え、
前記光プリントヘッドが前記退避位置に位置する場合において、前記第１リンク部材と前記第３リンク部材とが前記回動軸線の方向において重なる領域のうち少なくとも一部の領域が前記スライド部材と前記回動軸線の方向において重なるように、前記スライド部材は、前記第１リンク部材よりも前記スライド移動の方向における上流側で前記第１リンク部材と前記長手方向において重なる領域と、前記第３リンク部材よりも前記スライド移動の方向における下流側で前記第３リンク部材と前記長手方向において重なる領域と、が前記回動軸線の方向において重なる領域より前記回動軸線の方向において外側に配置されていることを特徴とする画像形成装置。
【請求項１６】
前記スライド部材は前記第３リンク部材と前記回動軸線の方向において重なり且つ前記スライド部材は前記第１リンク部材と前記第３リンク部材とは前記長手方向と前記回動軸線の方向との双方に垂直な方向において重ならないように配置されていることを特徴とする請求項１５に記載の画像形成装置。
【請求項１７】
前記光プリントヘッドが前記退避位置に位置する場合において、前記第１リンク部材よりも前記スライド移動の方向における上流側で前記第１リンク部材と前記長手方向において重なる領域と、前記第３リンク部材よりも前記スライド移動の方向における下流側で前記第３リンク部材と前記長手方向において重なる領域と、が前記回動軸線の方向において重なる領域は、全領域が前記スライド部材と前記回動軸線の方向において重なっていることを特徴とする請求項１５または請求項１６のいずれか１項に記載の画像形成装置。
【請求項１８】
前記長手方向における前記スライド部材の奥側の端部よりも前記スライド移動の方向における下流側で前記装置本体に対して回動可能に接続された第４リンク部材であって、前記装置本体との接続部分よりも前記スライド移動の方向における下流側で前記第２リンク部材の一端側と前記第２リンク部材の他端側との間に回動可能に接続されるために、一部が前記回動軸線の方向において前記第２リンク部材と重なるように配置された前記第４リンク部材を備え、
前記光プリントヘッドが前記退避位置に位置する場合において、前記第２リンク部材と前記第４リンク部材とが前記回動軸線の方向において重なる領域のうち少なくとも一部の領域が前記スライド部材と前記回動軸線の方向において重なるように、前記スライド部材は、前記第２リンク部材よりも前記スライド移動の方向における上流側で前記第２リンク部材と前記長手方向において重なる領域と、前記第４リンク部材よりも前記スライド移動の方向における下流側で前記第４リンク部材と前記長手方向において重なる領域と、が前記回動軸線の方向において重なる領域より前記回動軸線の方向において外側に配置されていることを特徴とする請求項１５から請求項１７のいずれか１項に記載の画像形成装置。
【請求項１９】
前記スライド部材は、前記第２リンク部材よりも前記スライド移動の方向における上流側で前記第２リンク部材と前記長手方向において重なる領域と、前記第４リンク部材よりも前記スライド移動の方向における下流側で前記第４リンク部材と前記長手方向において重なる領域と、が前記回動軸線の方向において重なる領域よりも外側に配置されていることを特徴とする請求項１８に記載の画像形成装置。
【請求項２０】
前記スライド部材は前記第４リンク部材と前記回動軸線の方向において重なり且つ前記スライド部材は前記第２リンク部材と前記第４リンク部材とは前記長手方向と前記回動軸線の方向との双方に垂直な方向において重ならないように配置されていることを特徴とする請求項１８または請求項１９に記載の画像形成装置。
【請求項２１】
前記光プリントヘッドが前記退避位置に位置する場合において、前記第２リンク部材よりも前記スライド移動の方向における上流側で前記第２リンク部材と前記長手方向において重なる領域と、前記第４リンク部材よりも前記スライド移動の方向における下流側で前記第４リンク部材と前記長手方向において重なる領域と、が前記回動軸線の方向において重なる領域は、全領域が前記スライド部材と前記回動軸線の方向において重なっていることを特徴とする請求項１８から請求項２０のいずれか１項に記載の画像形成装置。
【請求項２２】
装置本体に対して回転可能な感光ドラムと、
前記感光ドラムを露光するための位置である露光位置から前記露光位置よりも前記感光ドラムから退避した退避位置に向けて移動可能な光プリントヘッドと、
前記装置本体の手前側から奥側へ向けて前記光プリントヘッドの長手方向にスライド移動するスライド部材と、
一端側が前記長手方向における前記スライド部材の奥側に回動可能に接続され且つ他端側が前記長手方向における前記光プリントヘッドの奥側に回動可能に接続され、前記一端側が前記他端側よりも前記スライド移動の方向における下流側となるように前記スライド部材と前記光プリントヘッドとに接続された第１リンク部材と、
一端側が前記長手方向における前記スライド部材の手前側に回動可能に接続され且つ他端側が前記長手方向における前記光プリントヘッドの手前側に回動可能に接続され、前記一端側が前記他端側よりも前記スライド移動の方向における下流側となるように前記スライド部材と前記光プリントヘッドとに接続された第２リンク部材と、
前記長手方向における前記スライド部材の奥側の端部よりも前記スライド移動の方向における下流側で前記装置本体に対して回動可能に接続された第３リンク部材であって、前記装置本体との接続部分よりも前記スライド移動の方向における下流側で前記第１リンク部材の一端側と前記第１リンク部材の他端側との間に回動可能に接続されるために、一部が前記第１リンク部材の回動軸線の方向において前記第１リンク部材と重なるように配置された前記第３リンク部材と、を備え、
前記光プリントヘッドが前記退避位置に位置する場合において、前記第１リンク部材と前記第３リンク部材とが前記回動軸線の方向において重なる領域のうち少なくとも一部の領域が前記スライド部材と前記回動軸線の方向において重なるように、前記スライド部材は、前記第１リンク部材よりも前記スライド移動の方向における上流側で前記第１リンク部材と前記長手方向において重なる領域と、前記第３リンク部材よりも前記スライド移動の方向における下流側で前記第３リンク部材と前記長手方向において重なる領域と、が前記スライド部材に対して回動する前記第１リンク部材の回動軸線の方向において重なる領域より前記回動軸線の方向において外側に配置されていることを特徴とする画像形成装置。
【請求項２３】
前記スライド部材は前記第３リンク部材と前記回動軸線の方向において重なり且つ前記スライド部材は前記第１リンク部材と前記第３リンク部材とは前記長手方向と前記回動軸線の方向との双方に垂直な方向において重ならないように配置されていることを特徴とする請求項２２に記載の画像形成装置。
【請求項２４】
前記光プリントヘッドが前記退避位置に位置する場合において、前記第１リンク部材よりも前記スライド移動の方向における上流側で前記第１リンク部材と前記長手方向において重なる領域と、前記第３リンク部材よりも前記スライド移動の方向における下流側で前記第３リンク部材と前記長手方向において重なる領域と、が前記回動軸線の方向において重なる領域は、全領域が前記スライド部材と前記回動軸線の方向において重なっていることを特徴とする請求項２２または請求項２３に記載の画像形成装置。
【請求項２５】
前記第１リンク部材の一端側と前記第２リンク部材の一端側との間において前記装置本体に対して回動可能に接続された第４リンク部材であって、前記装置本体との接続部分よりも前記スライド移動の方向における下流側で前記第２リンク部材の一端側と前記第２リンク部材の他端側との間に回動可能に接続されるために、一部が前記回動軸線の方向において前記第２リンク部材と重なるように配置された前記第４リンク部材を備え、
前記光プリントヘッドが前記退避位置に位置する場合において、前記第２リンク部材と前記第４リンク部材とが前記回動軸線の方向において重なる領域のうち少なくとも一部の領域が前記スライド部材と前記回動軸線の方向において重なるように、前記スライド部材は、前記第２リンク部材よりも前記スライド移動の方向における上流側で前記第２リンク部材と前記長手方向において重なる領域と、前記第４リンク部材よりも前記スライド移動の方向における下流側で前記第４リンク部材と前記長手方向において重なる領域と、が前記回動軸線の方向において重なる領域より前記回動軸線の方向において外側に配置されていることを特徴とする請求項２２から請求項２４のいずれか１項に記載の画像形成装置。
【請求項２６】
前記スライド部材は前記第４リンク部材と前記回動軸線の方向において重なり且つ前記スライド部材は前記第２リンク部材と前記第４リンク部材とは前記長手方向と前記回動軸線の方向との双方に垂直な方向において重ならないように配置されていることを特徴とする請求項２５に記載の画像形成装置。
【請求項２７】
前記光プリントヘッドが前記退避位置に位置する場合において、前記第２リンク部材よりも前記スライド移動の方向における上流側で前記第２リンク部材と前記長手方向において重なる領域と、前記第４リンク部材よりも前記スライド移動の方向における下流側で前記第４リンク部材と前記長手方向において重なる領域と、が前記回動軸線の方向において重なる領域は、全領域が前記スライド部材と前記回動軸線の方向において重なっていることを特徴とする請求項２５または請求項２６に記載の画像形成装置。
【請求項２８】
前記光プリントヘッドに対して前記感光ドラムが配置されている側とは反対側において装置本体に固定され、前記スライド部材を前記スライド移動可能に支持する長尺の支持部材を有し、
前記支持部材は、
前記回動軸線の方向において前記スライド部材より一方側に設けられた第１壁部と、前記回動軸線の方向において前記スライド部材より他方側に設けられた第２壁部と、
前記回動軸線の方向において前記第１壁部と前記第２壁部との間に配置された前記スライド部材を前記スライド移動可能に支持するために、前記長手方向に沿って前記スライド部材に形成され前記回動軸線の方向に貫通した長孔を介して、前記第１壁部と前記第２壁部とを連結する支持軸と、
を備えることを特徴とする請求項１から請求項２７のいずれか１項に記載の画像形成装置。
【請求項２９】
前記装置本体の手前側において前記装置本体の筐体の一部を成す前側板と、
前記装置本体の奥側において前記装置本体の筐体の一部を成す後側板と、を備え、
前記長手方向における前記支持部材の手前側は前記前側板に固定され且つ前記長手方向における前記支持部材の奥側は前記後側板に固定されていることを特徴とする請求項２８に記載の画像形成装置。
【請求項３０】
前記第３リンク部材の一端側は前記支持部材に回動可能に接続されていることを特徴とする請求項２８または請求項２９に記載の画像形成装置。
【請求項３１】
前記スライド部材は金属製であることを特徴とする請求項１から請求項３０のいずれか１項に記載の画像形成装置。
【請求項３２】
前記スライド部材は板金であって、前記回動軸線の方向における厚みの長さは前記長手方向と前記回動軸線の方向との双方に垂直な方向における幅の長さよりも短いことを特徴とする請求項３１に記載の画像形成装置。
【発明の詳細な説明】
【技術分野】
【０００１】
本発明は、光プリントヘッドを、感光ドラムを露光するための露光位置から、露光位置よりも感光ドラムから離れた退避位置に向けて移動させる移動機構を備える画像形成装置に関する。
【背景技術】
【０００２】
プリンタや複写機等の画像形成装置は、感光ドラムを露光するための複数の発光素子を備える光プリントヘッドを有する。光プリントヘッドとしては、発光素子の例としてＬＥＤ（Ｌｉｇｈｔ  Ｅｍｉｔｔｉｎｇ  Ｄｉｏｄｅ）や有機ＥＬ（Ｅｌｅｃｔｒｏ  Ｌｕｍｉｎｅｓｃｅｎｃｅ）等を用いるものがあり、これらの発光素子が感光ドラムの回転軸線方向に沿って、例えば１列や千鳥状の２列に複数配列されたものが知られている。また、光プリントヘッドは、複数の発光素子から出射される光を感光ドラムに集光させるための複数のレンズを備える。複数のレンズは、複数の発光素子と感光ドラムとの間において、発光素子の配列方向に沿うように感光ドラム表面に対向して配置される。複数の発光素子から出射された光は、レンズを介し感光ドラム表面に集光し、感光ドラム上に静電潜像が形成される。
【０００３】
感光ドラムは消耗品であるため定期的に交換される。感光ドラム等の交換作業を行うユーザやサービスマン等の作業者は、感光ドラムを有するドラムユニットを交換することで、画像形成装置のメンテナンスを行うことができる。ドラムユニットは、画像形成装置本体の側面から抜き差しされることで、画像形成装置本体に対して着脱可能な構成となっている。光プリントヘッドが感光ドラムを露光するために露光位置（ドラム表面に接近して対向する位置）に位置するとき、レンズと感光ドラム表面との間隔は非常に狭い。よって、ドラムユニットの交換時には、光プリントヘッドが露光位置よりも感光ドラムから退避した退避位置に移動されていなければ、光プリントヘッドと感光ドラム等が接触し、感光ドラム表面やレンズが傷ついてしまう虞がある。ドラムユニットの交換時に光プリントヘッドと感光ドラムとが接触することを防ぐためには、光プリントヘッドが退避位置に位置するとき、光プリントヘッドが感光ドラムから十分に離れている必要がある。
【０００４】
特許文献１は、光プリントヘッドを露光位置と退避位置との間で移動させる移動機構６０を開示している。移動機構６０は、保持部材６３と、感光ドラム１５の回転軸線方向にスライド移動するスライド部材６１（スライド部材）とを備える。さらに、移動機構６０は、その前側と後側のそれぞれにおいて、１対の第１リンク部材８２と第２リンク部材８３とを備える。
【０００５】
以下、移動機構６０の前側に設けられた、１対の第１リンク部材８２（第３リンク部材）および第２リンク部材８３（第１リンク部材）について説明する。１対の第１リンク部材８２と、第２リンク部材８３とはそれぞれが軸部９５を回動中心として互いに回転可能に接続されていて、パンタグラフ機構を構成する。スライド部材６１（スライド部材）の前側には、１対の第１支持部７０が、左右方向において間隔を隔てて設けられている。１対の第１支持部７０それぞれは、挿通孔７５が形成された第１ガイドボス７６を備える。第２リンク部材の一端側には挿通口９２が形成されている。１対の第１支持部７０の間に第２リンク部材８３が配置され、２つの挿通孔７５および挿通口９２に挿通軸９４が挿通されることにより、第２リンク部材８３はスライド部材６１に対して回動可能に接続される。一方、第２リンク部材８３の他端側は、保持部材６３に設けられた嵌合穴１０６に回動可能に接続されている。また、１対の第１リンク部材８２の一端側は、本体に対して固定された本体側嵌合部１００に回動可能に接続されている。一方、１対の第１リンク部材８２の他端側は、保持部材６３に設けられたガイド穴１０５に回動可能、かつ、前後方向に移動可能に接続されている。
【０００６】
以上の構成により、スライド部材６１がスライド移動すると、１対の第１リンク部材８２と、第２リンク部材８３とが互いに回動し、光プリントヘッドが露光位置と退避位置との間で往復移動する。
【先行技術文献】
【特許文献】
【０００７】
【特許文献１】特開２０１３−１３４３７０号公報
【発明の概要】
【発明が解決しようとする課題】
【０００８】
しかしながら、特許文献１の構成には、次のような課題がある。第１リンク部材と第３リンク部材とが左右方向において重なった領域（交差領域）は、第１リンク部材と第３リンク部材とが回動することに伴って感光ドラムから離れる方向に向けて移動する。そして、交差領域がこのように移動することに伴って、光プリントヘッドも感光ドラムから離れる方向に向けて移動する。ここで、特許文献１に開示の構成では、第１リンク部材よりも後側で前後方向において第１リンク部材と重なる領域と、第３リンク部材よりも前側で前後方向において第３リンク部材と重なる領域と、の２つの領域が左右方向において重なる領域内にスライド部材の一部が位置する。そのため、交差領域はスライド部材よりも上方にしか位置することが出来ず、感光ドラムから離れる方向へ向けての光プリントヘッドの移動可能量が制限されてしまっていた。
【課題を解決するための手段】
【０００９】
上記課題に対して、本発明の画像形成装置は、装置本体に対して回転可能な感光ドラムと、前記感光ドラムを露光するための位置である露光位置から前記露光位置よりも前記感光ドラムから離れた退避位置に向けて移動可能な光プリントヘッドと、前記装置本体の手前側から奥側へ向けて前記光プリントヘッドの長手方向にスライド移動するスライド部材と、一端側が前記長手方向における前記スライド部材の手前側に回動可能に接続され且つ他端側が前記長手方向における前記光プリントヘッドの手前側に回動可能に接続され、前記一端側が前記他端側よりも前記スライド移動の方向における下流側となるように前記スライド部材と前記光プリントヘッドとに接続された第１リンク部材と、一端側が前記長手方向における前記スライド部材の奥側に回動可能に接続され且つ他端側が前記長手方向における前記光プリントヘッドの奥側に回動可能に接続され、前記一端側が前記他端側よりも前記スライド移動の方向における下流側となるように前記スライド部材と前記光プリントヘッドとに接続された第２リンク部材と、前記長手方向における前記スライド部材の手前側の端部よりも前記スライド移動の方向における下流側で前記装置本体に対して回動可能に接続された第３リンク部材であって、前記装置本体との接続部分よりも前記スライド移動の方向における下流側で前記第１リンク部材の一端側と前記第１リンク部材の他端側との間に回動可能に接続されるために、一部が前記第１リンク部材の回動軸線の方向において前記第１リンク部材と重なるように配置された前記第３リンク部材と、を備え、前記光プリントヘッドが前記退避位置に位置する場合において、前記第１リンク部材と前記第３リンク部材とが前記回動軸線の方向において重なる領域のうち少なくとも一部の領域が前記スライド部材と前記回動軸線の方向において重なるように、前記スライド部材は、前記第１リンク部材よりも前記スライド移動の方向における上流側で前記第１リンク部材と前記長手方向において重なる領域と、前記第３リンク部材よりも前記スライド移動の方向における下流側で前記第３リンク部材と前記長手方向において重なる領域と、が前記回動軸線の方向において重なる領域より前記回動軸線の方向において外側に配置されていることを特徴とする。
【００１０】
また、本発明の画像形成装置は、装置本体に対して回転可能な感光ドラムと、前記感光ドラムを露光するため位置である露光位置から前記露光位置よりも前記感光ドラムから退避した退避位置に向けて移動可能な光プリントヘッドと、前記装置本体の手前側から奥側へ向けて前記光プリントヘッドの長手方向にスライド移動するスライド部材と、一端側が前記長手方向における前記スライド部材の奥側に回動可能に接続され且つ他端側が前記長手方向における前記光プリントヘッドの奥側に回動可能に接続され、前記一端側が前記他端側よりも前記スライド移動の方向における下流側となるように前記スライド部材と前記光プリントヘッドとに接続された第１リンク部材と、一端側が前記長手方向における前記スライド部材の手前側に回動可能に接続され且つ他端側が前記長手方向における前記光プリントヘッドの手前側に回動可能に接続され、前記一端側が前記他端側よりも前記スライド移動の方向における下流側となるように前記スライド部材と前記光プリントヘッドとに接続された第２リンク部材と、前記第１リンク部材の一端側と前記第２リンク部材の一端側との間において前記装置本体に対して回動可能に接続された第３リンク部材であって、前記装置本体との接続部分よりも前記スライド移動の方向における下流側で前記第１リンク部材の一端側と前記第１リンク部材の他端側との間に回動可能に接続されるために、一部が前記第１リンク部材の回動軸線の方向において前記第１リンク部材と重なるように配置された前記第３リンク部材と、を備え、前記光プリントヘッドが前記退避位置に位置する場合において、前記第１リンク部材と前記第３リンク部材とが前記回動軸線の方向において重なる領域のうち少なくとも一部の領域が前記スライド部材と前記回動軸線の方向において重なるように、前記スライド部材は、前記第１リンク部材よりも前記スライド移動の方向における上流側で前記第１リンク部材と前記長手方向において重なる領域と、前記第３リンク部材よりも前記スライド移動の方向における下流側で前記第３リンク部材と前記長手方向において重なる領域と、が前記回動軸線の方向において重なる領域より前記回動軸線の方向において外側に配置されていることを特徴とする。
【００１１】
また、本発明の画像形成装置は、装置本体に対して回転可能な感光ドラムと、前記感光ドラムを露光するための位置である露光位置から前記露光位置よりも前記感光ドラムから退避した退避位置に向けて移動可能な光プリントヘッドと、前記装置本体の奥側から手前側へ向けて前記光プリントヘッドの長手方向にスライド移動するスライド部材と、一端側が前記長手方向における前記スライド部材の手前側に回動可能に接続され且つ他端側が前記長手方向における前記光プリントヘッドの手前側に回動可能に接続され、前記一端側が前記他端側よりも前記スライド移動の方向における下流側となるように前記スライド部材と前記光プリントヘッドとに接続された第１リンク部材と、一端側が前記長手方向における前記スライド部材の奥側に回動可能に接続され且つ他端側が前記長手方向における前記光プリントヘッドの奥側に回動可能に接続され、前記一端側が前記他端側よりも前記スライド移動の方向における下流側となるように前記スライド部材と前記光プリントヘッドとに接続された第２リンク部材と、前記第１リンク部材の一端側と前記第２リンク部材の一端側との間において前記装置本体に対して回動可能に接続された第３リンク部材であって、前記装置本体との接続部分よりも前記スライド移動の方向における下流側で前記第１リンク部材の一端側と前記第１リンク部材の他端側との間に回動可能に接続されるために、一部が前記第１リンク部材の回動軸線の方向において前記第１リンク部材と重なるように配置された前記第３リンク部材と、を備え、前記光プリントヘッドが前記退避位置に位置する場合において、前記第１リンク部材と前記第３リンク部材とが前記回動軸線の方向において重なる領域のうち少なくとも一部の領域が前記スライド部材と前記回動軸線の方向において重なるように、前記スライド部材は、前記第１リンク部材よりも前記スライド移動の方向における上流側で前記第１リンク部材と前記長手方向において重なる領域と、前記第３リンク部材よりも前記スライド移動の方向における下流側で前記第３リンク部材と前記長手方向において重なる領域と、が前記回動軸線の方向において重なる領域より前記回動軸線の方向において外側に配置されていることを特徴とする。
【００１２】
また、本発明の画像形成装置は、装置本体に対して回転可能な感光ドラムと、前記感光ドラムを露光するための位置である露光位置から前記露光位置よりも前記感光ドラムから退避した退避位置に向けて移動可能な光プリントヘッドと、前記装置本体の手前側から奥側へ向けて前記光プリントヘッドの長手方向にスライド移動するスライド部材と、一端側が前記長手方向における前記スライド部材の奥側に回動可能に接続され且つ他端側が前記長手方向における前記光プリントヘッドの奥側に回動可能に接続され、前記一端側が前記他端側よりも前記スライド移動の方向における下流側となるように前記スライド部材と前記光プリントヘッドとに接続された第１リンク部材と、一端側が前記長手方向における前記スライド部材の手前側に回動可能に接続され且つ他端側が前記長手方向における前記光プリントヘッドの手前側に回動可能に接続され、前記一端側が前記他端側よりも前記スライド移動の方向における下流側となるように前記スライド部材と前記光プリントヘッドとに接続された第２リンク部材と、前記長手方向における前記スライド部材の奥側の端部よりも前記スライド移動の方向における下流側で前記装置本体に対して回動可能に接続された第３リンク部材であって、前記装置本体との接続部分よりも前記スライド移動の方向における下流側で前記第１リンク部材の一端側と前記第１リンク部材の他端側との間に回動可能に接続されるために、一部が前記第１リンク部材の回動軸線の方向において前記第１リンク部材と重なるように配置された前記第３リンク部材と、を備え、前記光プリントヘッドが前記退避位置に位置する場合において、前記第１リンク部材と前記第３リンク部材とが前記回動軸線の方向において重なる領域のうち少なくとも一部の領域が前記スライド部材と前記回動軸線の方向において重なるように、前記スライド部材は、前記第１リンク部材よりも前記スライド移動の方向における上流側で前記第１リンク部材と前記長手方向において重なる領域と、前記第３リンク部材よりも前記スライド移動の方向における下流側で前記第３リンク部材と前記長手方向において重なる領域と、が前記スライド部材に対して回動する前記第１リンク部材の回動軸線の方向において重なる領域より前記回動軸線の方向において外側に配置されていることを特徴とする。
【発明の効果】
【００１３】
本発明によれば、交差領域は左右方向においてスライド部材と重なる位置に位置することが可能である。したがって、従来の構成に比べて、感光ドラムから離れる方向へ向けての光プリントヘッドの移動可能量が増加する。
【図面の簡単な説明】
【００１４】
【図１】画像形成装置の概略断面図。
【図２】画像形成装置におけるドラムユニット周囲の斜視図。
【図３】露光ユニットの概略斜視図。
【図４】基板、ＬＥＤチップ、及びレンズアレイを説明するための概略図。
【図５】光プリントヘッドの概略側面図。
【図６】移動機構の手前側の概略斜視図。
【図７】リンク部材の動作を説明するための図。
【図８】リンク部材とスライド部材との位置関係を説明するための図。
【図９】リンク部材とスライド部材との位置関係を説明する比較例の図。
【図１０】リンク部材について説明するための図。
【図１１】移動機構の手前側に設けられたリンク部材を説明するための図。
【図１２】カバーの概略斜視図。
【発明を実施するための形態】
【００１５】
以下に本発明を実施するにあたり好ましい実施の形態を、添付の図面を用いて説明する。ただし、本説明に記載されている構成要素はあくまでも例示であり、本発明を本説明に記載した実施の形態だけに限るものではない。
【００１６】
（画像形成装置）
まず、画像形成装置１の概略構成を説明する。図１（ａ）は画像形成装置１の概略断面図である。図１（ａ）に示す画像形成装置１は読取装置を備えていないカラープリンタ（ＳＦＰ：Ｓｉｎｇｌ  Ｆｕｎｃｔｉｏｎ  Ｐｒｉｎｔｅｒ）であるが、実施の形態は読取装置を備える複写機であってもよい。また、実施の形態は、図１（ａ）に示すような複数の感光ドラム１０３を備えるカラー画像形成装置に限られず、１つの感光ドラム１０３を備えるカラー画像形成装置やモノクロ画像を形成する画像形成装置でも良い。
【００１７】
図１（ａ）に示す画像形成装置１は、イエロー、マゼンタ、シアン、ブラックの各色のトナー像を形成する４基の画像形成部１０２Ｙ、１０２Ｍ、１０２Ｃ、１０２Ｋ（以下、総称して単に「画像形成部１０２」とも称する）を備える。また、画像形成部１０２Ｙ、１０２Ｍ、１０２Ｃ、１０２Ｋは、それぞれ感光ドラム１０３Ｙ、１０３Ｍ、１０３Ｃ、１０３Ｋ（以下、総称して単に「感光ドラム１０３」とも称する）を備える。また、画像形成部１０２Ｙ、１０２Ｍ、１０２Ｃ、１０２Ｋは、感光ドラム１０３Ｙ、１０３Ｍ、１０３Ｃ、１０３Ｋをそれぞれ帯電させる帯電器１０４Ｙ、１０４Ｍ、１０４Ｃ、１０４Ｋ（以下、総称して単に「帯電器１０４」とも称する）を備える。また、画像形成部１０２Ｙ、１０２Ｍ、１０２Ｃ、１０２Ｋは、感光ドラム１０３Ｙ、１０３Ｍ、１０３Ｃ、１０３Ｋを露光する光を出射する露光光源としてのＬＥＤ（Ｌｉｇｈｔ  Ｅｍｉｔｔｉｎｇ  Ｄｉｏｄｅ、以下ＬＥＤと記載）露光ユニット５００Ｙ、５００Ｍ、５００Ｃ、５００Ｋ（以下、総称して単に「露光ユニット５００」とも称する）を備える。さらに、画像形成部１０２Ｙ、１０２Ｍ、１０２Ｃ、１０２Ｋは、感光ドラム１０３上の静電潜像をトナーによって現像し、感光ドラム１０３上に各色のトナー像を現像する現像器１０６Ｙ、１０６Ｍ、１０６Ｃ、１０６Ｋ（以下、総称して単に「現像器１０６」とも称する）を備える。なお、符号に付されたＹ、Ｍ、Ｃ、Ｋはトナーの色を示している。
【００１８】
図１（ａ）に示す画像形成装置１は感光ドラム１０３を下方から露光する、いわゆる「下面露光方式」を採用する画像形成装置である。以下、下面露光方式を採用する画像形成装置を前提として説明を進めるが、実施の形態としては図１（ｂ）に示す画像形成装置２のような感光ドラム１０３を上方から露光する「上面露光方式」を採用する画像形成装置でも構わない。図１（ｂ）中において図１（ａ）と同じ構成を示す箇所には同符合を示す。
【００１９】
画像形成装置１は、感光ドラム１０３に形成されたトナー像が転写される中間転写ベルト１０７と、感光ドラム１０３に形成されたトナー像を当該中間転写ベルトに順次転写させる一次転写ローラ１０８（Ｙ、Ｍ、Ｃ、Ｋ）を備える。また、画像形成装置１は、中間転写ベルト１０７上のトナー像を給紙部１０１から搬送されてきた記録紙Ｐに転写させる二次転写ローラ１０９と、二次転写された画像を記録紙Ｐに定着させる定着器１００を備える。
【００２０】
（画像形成プロセス）
露光ユニット５００Ｙは帯電器１０４Ｙによって帯電された感光ドラム１０３Ｙの表面を露光する。これにより、感光ドラム１０３Ｙには静電潜像が形成される。次に、現像器１０６Ｙは感光ドラム１０３Ｙに形成された静電潜像をイエローのトナーによって現像する。感光ドラム１０３Ｙの表面に現像されたイエローのトナー像は、一次転写ローラ１０８Ｙによって中間転写ベルト１０７上に転写される。マゼンタ、シアン、ブラックのトナー像も同様の画像形成プロセスで中間転写ベルト１０７に転写される。
【００２１】
中間転写ベルト１０７上に転写された各色のトナー像は、中間転写ベルト１０７によって二次転写部Ｔ２まで搬送される。二次転写部Ｔ２に配置された二次転写ローラ１０９にはトナー像を記録紙Ｐに転写するための転写バイアスが印加されている。二次転写部Ｔ２まで搬送されたトナー像は、二次転写ローラ１０９の転写バイアスによって、給紙部１０１から搬送されてきた記録紙Ｐに転写される。トナー像が転写された記録紙Ｐは定着器１００に搬送される。定着器１００は、熱と圧力によって記録紙Ｐにトナー像を定着させる。定着器１００によって定着処理がなされた記録紙Ｐは、排紙部１１１に排出される。
【００２２】
（ドラムユニットおよび現像ユニット）
画像形成装置１には、感光ドラム１０３を備えるドラムユニット５１８Ｙ、５１８Ｍ、５１８Ｃ、５１８Ｋ（以下、総称して単に「ドラムユニット５１８」とも称する）が取り付けられる。ドラムユニット５１８は、ユーザやメンテナンス者等の作業者によって交換されるカートリッジである。ドラムユニット５１８は感光ドラム１０３を回転可能に支持している。具体的には、感光ドラム１０３は、ドラムユニット５１８の枠体によって回転可能に支持されている。なお、ドラムユニット５１８は帯電器１０４やクリーニング装置を備えてない構成でも構わない。
【００２３】
また、本実施例の画像形成装置１にはドラムユニット５１８とは別体の現像ユニット６４１Ｙ、６４１Ｍ、６４１Ｃ、６４１Ｋ（以下、総称して単に「現像ユニット６４１」とも称する）が取り付けられている。本実施例の現像ユニット６４１は、図１（ａ）に示す現像器１０６とトナー収容部とが一体化されたカートリッジである。現像器１０６は、現像剤を担持する現像スリーブ（不図示）を備える。現像ユニット６４１にはトナーとキャリアを攪拌するためのスクリュを回転させるためのギアが複数設けられている。これらのギアが経年劣化等した際には、作業者が現像ユニット６４１を画像形成装置１の装置本体から取り外して交換する。なお、ドラムユニット５１８および現像ユニット６４１の実施の形態は、上記ドラムユニット５１８と現像ユニット６４１が一体化されたプロセスカートリッジでも構わない。
【００２４】
図２（ａ）は、画像形成装置１が備えるドラムユニット５１８周辺および現像ユニット６４１周辺の概略構造を示す斜視図である。また、図２（ｂ）はドラムユニット５１８が装置本体の外側から画像形成装置１に挿入されている様子を示す図である。
【００２５】
図２（ａ）に示すように画像形成装置１は、板金で形成される前側板６４２と、同じく板金で形成される後側板６４３を備える。前側板６４２は画像形成装置１の手前側に設けられた側壁である。前側板６４２は画像形成装置１本体の手前側において装置本体の筐体の一部を成す。後側板６４３は画像形成装置１の後ろ側に設けられた側壁である。後側板６４３は画像形成装置１本体の奥側において装置本体の筐体の一部を成す。図２（ａ）に示すように、前側板６４２と後側板６４３は対面して配置され、両者の間には梁としての不図示の板金が橋架されている。前側板６４２と後側板６４３と不図示の梁とはそれぞれ画像形成装置１の枠体の一部を構成する。
【００２６】
ここで、本実施例の画像形成装置１若しくはその構成部材に関して、正面側若しくは手前側とは、ドラムユニット５１８を装置本体に対して出し入れ（挿抜）する側である。また、ユーザが画像形成装置１を操作するときに画像形成装置に対して立つ側のことである。背面側若しくは奥側とはその反対側である。
【００２７】
画像形成装置１の手前側からドラムユニット５１８、および現像ユニット６４１を挿抜できるように、前側板６４２には開口が形成されている。ドラムユニット５１８、および現像ユニット６４１は、開口を介して画像形成装置１本体の所定の位置に装着される（装着位置）。また、画像形成装置１は、装着位置に装着されたドラムユニット５１８と現像ユニット６４１の双方の手前側を覆うカバー５５８Ｙ、５５８Ｍ、５５８Ｃ、５５８Ｋ（以下、総称して単に「カバー５５８」とも称する）を備える。カバー５５８は、一端がヒンジによって画像形成装置１本体に固定されており、ヒンジによって画像形成装置１本体に対して回動可能となっている。作業者がカバー５５８を開いて本体内のドラムユニット５１８あるいは現像ユニット６４１を取り出し、新しいドラムユニット５１８あるいは現像ユニット６４１を挿入してカバー５５８を閉じることによって交換作業が完了する。
【００２８】
ここで、図２（ａ）および図２（ｂ）に示すように、以下の説明では装置本体に対して前側板６４２側を前側（手前側若しくは正面側）、後側板６４３側を後側（奥側若しくは背面側）と定義する。また、ブラックのトナー像に関する静電潜像が形成される感光ドラム１０３Ｋを基準としたとき、イエローのトナー像に関する静電潜像が形成される感光ドラム１０３Ｙが配置されている側を右側と定義する。イエローのトナー像に関する静電潜像が形成される感光ドラム１０３Ｙを基準としたとき、ブラックのトナー像に関する静電潜像が形成される感光ドラム１０３Ｋが配置されている側を左側と定義する。さらに、ここで定義した前後方向および左右方向に垂直な方向であって鉛直方向上向きを上方向、また、ここで定義した前後方向および左右方向に垂直な方向であって鉛直方向下向きを下方向と定義する。定義した前方向、後方向、右方向、左方向、上方向、下方向を図２に示す。また、以下の本文で記載する感光ドラム１０３の回転軸線方向とは、図２に示す前後方向と略一致する方向である。
【００２９】
（露光ユニット）
次に、光プリントヘッド１０５を含む露光ユニット５００について説明する。ここで、電子写真方式の画像形成装置に採用される露光方式の一例として、半導体レーザの照射ビームを回転するポリゴンミラーなどで走査しｆ−θレンズ等を介して感光ドラムを露光するレーザビーム走査露光方式がある。本実施例で説明する「光プリントヘッド１０５」は、感光ドラム１０３の回転軸線方向に沿って配列されたＬＥＤ等の発光素子を用いて感光ドラム１０３を露光するＬＥＤ露光方式に用いられるものであって、上記に言うレーザビーム走査露光方式には用いられない。
【００３０】
本実施例で説明する露光ユニット５００は、感光ドラム１０３の回転軸線よりも鉛直方向下側に設けられており、光プリントヘッド１０５が有するＬＥＤ５０３が感光ドラム１０３を下方から露光する。ただし、露光ユニット５００が感光ドラム１０３の回転軸線よりも鉛直方向上側に設けられ、感光ドラム１０３を上方から露光する構成でも構わない（図１（ｂ）参照）。図３は、本実施例の画像形成装置１が備える露光ユニット５００の概略斜視図である。
【００３１】
図３より、露光ユニット５００は、光プリントヘッド１０５と移動機構６４０とを備える。光プリントヘッド１０５は、レンズアレイ５０６と、基板５０２（図３では不図示）と、保持体５０５と、第１当接ピン５１４と、第２当接ピン５１５とを備える。
【００３２】
第１当接ピン５１４と第２当接ピン５１５とがドラムユニット５１８に突き当たることでレンズアレイ５０６と感光ドラム１０３との間に間隙が形成され、画像形成時における感光ドラム１０３に対する光プリントヘッド１０５の位置が決まる。移動機構６４０は、第１リンク機構８６１と、第２リンク機構８６２と、スライド部材５２５とを備える。第１リンク機構８６１はリンク部材６５１とリンク部材６５３とを備える。第２リンク機構８６２はリンク部材６５２とリンク部材６５４とを備える。不図示のカバー５５８の開閉動作に伴いスライド部材５２５が前後方向にスライド移動する。スライド部材５２５のスライド移動に連動して第１リンク機構８６１と第２リンク機構８６２とが駆動し、光プリントヘッド１０５が上下に移動する。移動機構６４０の詳しい動作については後述する。ドラムユニット５１８の枠体のうち当接ピン５１４（及び当接ピン５１５）が突き当たる部分には、例えばこれら当接ピン５１４（及び朗接ピン５１５）の先端が５ｍｍ程度嵌まる嵌合孔が設けられている。これにより、光プリントヘッド１０５は感光ドラム１０３に対して正確に位置決めされる。
【００３３】
次に光プリントヘッド１０５の構造を説明するにあたり、保持体５０５について説明する。保持体５０５は、後述する基板５０２とレンズアレイ５０６を保持するホルダーである。本実施例においては、光プリントヘッド１０５自体の軽量化やコスト低減の観点から、保持体５０５の材質に樹脂を採用しているが、金属製でも構わない。
【００３４】
露光ユニット５００は感光ドラム１０３の回転軸線よりも鉛直方向下側に設けられており、光プリントヘッド１０５が有するＬＥＤ５０３が感光ドラム１０３を下方から露光する。なお、露光ユニット５００は感光ドラム１０３の回転軸線よりも鉛直方向上側に設けられ、光プリントヘッド１０５が有するＬＥＤ５０３が感光ドラム１０３を上方から露光する構成でも構わない。
【００３５】
次に、保持体５０５に保持される基板５０２について説明する。図４（ａ）は基板５０２の概略斜視図である。図４（ｂ１）は基板５０２に設けられた複数のＬＥＤ５０３の配列を示す。図４（ｂ２）は、図４（ｂ１）の拡大図である。
【００３６】
基板５０２にはＬＥＤチップ６３９が実装されている。図４（ａ）に示すように、基板５０２の一方の面にはＬＥＤチップ６３９が設けられ、他方の面にはコネクタ５０４が設けられている。基板５０２には各ＬＥＤチップ６３９に信号を供給するための配線が設けられている。コネクタ５０４には、不図示のフレクシブルフラットケーブル（ＦＦＣ）の一端が接続される。画像形成装置１本体には基板が設けられている。基板は制御部とコネクタとを備える。ＦＦＣの他端は、このコネクタに接続されている。基板５０２には、画像形成装置１本体の制御部からＦＦＣおよびコネクタ５０４を介して制御信号が入力される。ＬＥＤチップ６３９は、基板５０２に入力された制御信号によって駆動される。
【００３７】
基板５０２に実装されるＬＥＤチップ６３９についてさらに詳しく説明する。図４（ｂ１）および（ｂ２）に示すように、基板５０２の一方の面には複数のＬＥＤチップ６３９−１〜６３９−２９（２９個）が配列されている。各ＬＥＤチップ６３９−１〜６３９−２９には、発光素子の一例であるＬＥＤが、ＬＥＤチップの長手方向に沿って複数個一列に並べられている。各ＬＥＤチップ６３９−１〜６３９−２９はそれぞれ５１６個のＬＥＤを備える。ＬＥＤチップ６３９の長手方向において隣り合うＬＥＤの中心間距離ｋ２は画像形成装置１の解像度に対応している。本実施例の画像形成装置１の解像度は１２００ｄｐｉであるので、ＬＥＤチップ６３９−１〜６３９−２９ＬＥＤチップ６３９の長手方向において、ＬＥＤは隣接するＬＥＤの中心間距離が２１．１６μｍとなるように一列に配列されている。そのため、本実施例の光プリントヘッド１０５の露光範囲は約３１６ｍｍとなる。感光ドラム１０３の感光層は３１６ｍｍ以上の幅で形成されている。Ａ４サイズの記録紙の長辺の長さおよびＡ３サイズの記録紙の短辺の長さは２９７ｍｍであるため、本実施例の光プリントヘッド１０５は、Ａ４サイズの記録紙およびＡ３サイズの記録紙に画像形成可能な露光範囲を有している。
【００３８】
ＬＥＤチップ６３９−１から６３９−２９は、感光ドラム１０３の回転軸線方向に沿って二列となるよう交互に配置されている。すなわち、図４（ｂ１）に示すように、左側から数えて奇数番目のＬＥＤチップ６３９−１、６３９−３、・・・６３９−２９が基板５０２の長手方向に一列に実装され、偶数番目のＬＥＤチップ６３９−２、６３９−４、・・・６３９−２８が基板５０２の長手方向に一列に実装されている。ＬＥＤチップ６３９をこのように配置することで、図４（ｂ２）に示すように、ＬＥＤチップ６３９の長手方向において、隣り合う異なるＬＥＤチップ６３９における一方のＬＥＤチップ６３９の一端と他方のＬＥＤチップ６３９の他端とに配置されたＬＥＤの中心間距離ｋ１を一つのＬＥＤチップ６３９上における隣り合うＬＥＤの中心間距離ｋ２と等しくすることができる。
【００３９】
なお、本実施例では露光光源にＬＥＤを用いる構成を例示するが、露光光源として有機ＥＬ（Ｏｒｇａｎｉｃ  Ｅｌｅｃｔｒｏ  Ｌｕｍｉｎｅｓｃｅｎｃｅ）を用いても良い。
【００４０】
次に、レンズアレイ５０６について説明する。図４（ｃ１）はレンズアレイ５０６を感光ドラム１０３側から見た時の概略図である。また、図４（ｃ２）はレンズアレイ５０６の概略斜視図である。図４（ｃ１）に示すように、これら複数のレンズは複数のＬＥＤ５０３の配列方向に沿って二列に並べられている。各レンズは、一方の列のレンズの配列方向において隣り合うレンズの両方に接するように他方の列のレンズの一つが配置されるよう交互に配置されている。各レンズは、円柱状の硝子製のロッドレンズである。なお、レンズの材質は硝子製に限らず、プラスチック製でも構わない。レンズの形状についても円柱状に限らず、例えば六角柱等の多角柱でも構わない。
【００４１】
図４（ｃ２）に示す点線Ｚはレンズの光軸を示す。光プリントヘッド１０５は前述の移動機構６４０によって当該点線Ｚで示すレンズの光軸に概ね沿った方向に移動させられる。ここで言うレンズの光軸とは、レンズの光出射面の中心と当該レンズの焦点とを結ぶ線を意味する。図４に示すように、ＬＥＤから出射された放射光はレンズアレイ５０６に含まれるレンズに入射する。レンズは入射した放射光を感光ドラム１０３の表面上に集光させる機能を有する。レンズアレイ５０６は、ＬＥＤの発光面とレンズの光入射面との距離と、レンズの光出射面と感光ドラム１０３の表面との距離と、が略等しくなるように光プリントヘッド１０５の組み立て時のレンズ取付部７０１に対する取付位置が調整される。
【００４２】
（移動機構）
本実施例の画像形成装置１は、図２で説明したように、ドラムユニット５１８を交換する際、装置本体の奥側から手前側へと向かう方向にドラムユニット５１８をスライド移動させる。光プリントヘッド１０５が感光ドラム１０３表面近傍に位置している状態でドラムユニット５１８が移動されると、感光ドラム１０３の表面が光プリントヘッド１０５に接触し、感光ドラム１０３の表面に傷がついてしまう虞がある。また、ドラムユニット５１８の枠体がレンズアレイ５０６に接触し、レンズアレイ５０６に傷がついてしまう虞もある。そのため、感光ドラム１０３を露光する露光位置（図５（ａ））と露光位置よりもドラムユニット５１８から退避した退避位置（図５（ｂ））との間で、光プリントヘッド１０５を往復移動させる構造が必要である。光プリントヘッド１０５が露光位置（図５（ａ））に位置する状態でスライド部材５２５が矢印Ａ方向にスライド移動すると光プリントヘッド１０５は退避位置（図５（ｂ））へ向かって移動する。一方、光プリントヘッド１０５が退避位置（図５（ｂ））に位置する状態でスライド部材５２５が矢印Ｂ方向にスライド移動すると光プリントヘッド１０５は露光位置（図５（ａ））へ向かって移動する。ここで、「スライド移動する方向」と言ったときは、光プリントヘッド１０５を露光位置から退避位置へ向けて移動させるために、スライド部材５２５を移動させるときのスライド部材５２５の移動方向を指す。図５を例にとると矢印Ａ方向が「スライド移動する方向」と一致する。作業者は、スライド部材５２５をスライド移動する方向へ向けて移動させることで、光プリントヘッド１０５は感光ドラム１０３から離れる方向へ向けて移動する。
【００４３】
図６（ａ）は、第１支持部５２７を不図示とした移動機構６４０の手前側を左側から見た概略斜視図である。また、図６（ｂ）は、第１支持部５２７を不図示とした移動機構６４０の手前側を右側から見た概略斜視図である。移動機構６４０はスライド部材５２５と、第３支持部５２６（支持部材）と、第１リンク機構８６１を備える。第３支持部５２６は、支持軸５３１と、Ｅ型止め輪５３３と、を備える。また、第３支持部５２６は、壁部７４１（第１壁部）と壁部７４２（第２壁部）とを備える。第３支持部は板金で形成された長尺の金属部材であって、光プリントヘッド１０５に対して感光ドラム１０３が配置されている側とは反対側に配置されている。図６に示すように、第３支持部５２６はコの字状に折り曲げられた板金である。第３支持部５２６がコの字状に折り曲げられることで壁部７４１と壁部７４２とは左右方向において対向する。支持軸５３１は、コの字型に加工された第３支持部５２６の対向する面（壁部７４１と壁部７４２）に形成された開口に挿入されている。支持軸５３１は第３支持部５２６の右側面および左側面を貫通している。支持軸５３１は、第３支持部５２６の開口から抜け落ちないように左側面の外側でＥ型止め輪５３３にて留められている。一方、図６（ａ）に示すようにスライド部材５２５には前後方向に延びる長孔６９１が形成されている。長孔６９１はスライド部材５２５を左右方向に貫通した孔である。支持軸５３１はスライド部材５２５の長孔６９１に挿入されている。すなわち、支持軸７３１は、スライド部材５２５に形成された長孔６９１を介して壁部７４１と壁部７４２とを連結する。
【００４４】
以上のような構造により、スライド部材５２５は、第３支持部５２６に対して上下方向の移動が規制され、長孔６９１の前後方向の長さの分だけ第３支持部５２６に対してスライド移動可能となる。
【００４５】
また、スライド部材５２５の一端側には左側から下側に亘って収納スペース５６２を有するスライド補助部材５３９が取り付けられている。スライド補助部材５３９はスライド部材５２５に対して左側からビス留めされることで固定されている。収納スペース５６２には後述するカバー５５８が備える加圧部５６１が収納される。収納スペース５６２と加圧部５６１との関係および構造的特徴については、後で述べるカバー５５８についての説明と合わせて記載する。
【００４６】
以下、図６（ａ）、図６（ｂ）、および図７を用いて、第１リンク機構８６１について説明する。図７（ａ）は、第１リンク機構８６１を感光ドラム１０３の回転軸線に沿った面で切断した断面図である。第１リンク機構８６１は、リンク部材６５１（第１リンク部材）と、リンク部材６５３（第３リンク部材）と、を備える。本実施例のリンク部材６５１およびリンク部材６５３はそれぞれ単一のリンク部材であるが、複数のリンク部材を組み合わせて構成しても良い。
【００４７】
リンク部材６５１は、軸受部６１０、突起６５５、および接続軸部５３８、を備える。軸受部６１０はリンク部材６５１の長手方向におけるリンク部材６５１の一端側に設けられている。突起６５５は、リンク部材６５１の長手方向におけるリンク部材６５１の他端側に形成されている。また、この突起６５５は、リンク部材６５１の回動軸線の方向に延びる円柱状の突起である。接続軸部５３８はリンク部材６５１の長手方向において軸受部６１０と突起６５５との間に設けられている。なお、突起６５５に代えてリンク部材６５１の長手方向の一端側が回動軸線の方向に屈曲した構造でも構わない。
【００４８】
軸受部６１０には図６（ａ）の左右方向に延びる円形の中空孔が形成されている。スライド部材５２５には嵌合軸部５３４が設けられている。嵌合軸部５３４はスライド部材５２５から図６（ａ）の左側立設した円柱状の突起である。嵌合軸部５３４は軸受部６１０の孔に対して回動可能に嵌合される。これにより、リンク部材６５１は嵌合軸部５３４の中心軸線を回動中心としてスライド部材５２５に対して回動可能となっている。ここで、嵌合軸部５３４がリンク部材６５１側に形成され、軸受部６１０がスライド部材５２５に形成されていても構わない。
【００４９】
突起６５５はリンク部材６５１から立設した円柱形状の突起である。突起６５５は光プリントヘッド１０５の保持体５０５の手前側に回動可能に接続されている。
【００５０】
リンク部材６５３は、接続軸部５３０を備える。接続軸部５３０はリンク部材６５３の長手方向におけるリンク部材６５３の一端側に設けられている。接続軸部５３０はリンク部材６５３から図７（ａ）の左側に立設した円柱状の突起である。接続軸部５３０は第３支持部５２６に形成された孔に回転可能に挿入される。ここで、接続軸部５３０はリンク部材６５３ではなく、第３支持部５２６に形成されていても構わない。すなわち、リンク部材６５３に形成された孔に対して第３支持部５２６に形成された接続軸部５３０が挿入されていてもよい。リンク部材６５３の長手方向のリンク部材６５３の他端側には、図７（ａ）の左右方向に延びる円形の孔が形成されている。この孔にはリンク部材６５１の接続軸部５３８が回転可能に挿入されている。すなわち、リンク部材６５３は、接続軸部５３０の中心軸線を回動中心として第３支持部５２６に対して回動可能である。また、リンク部材６５３は、接続軸部５３８の中心軸線を回動中心としてリンク部材６５１に対して回動可能となっている。ここで、接続軸部５３８はリンク部材６５１ではなく、リンク部材６５３に形成されていても構わない。すなわち、リンク部材６５１に形成された孔にリンク部材６５３に形成された接続軸部５３８が挿入されてもよい。
【００５１】
なお、第３支持部５２６の奥側には支持軸５３１と同様の機能を有する軸が設けられ、スライド部材５２５の奥側には長孔６９１と同様の機能を有する孔が形成されている。移動機構６４０の奥側は移動機構６４０の手前側と同等の構造が設けられている。第２リンク機構８６２の構成は、上で説明した第１リンク機構８６１の構成と同じである。第２リンク機構８６２が備えるリンク部材６５２およびリンク部材６５４は、それぞれリンク部材６５１およびリンク部材６５３に対応する。なお、移動機構６４０はリンク部材６５３もしくはリンク部材６５４のいずれか一方を省略した構造でも構わない。
【００５２】
まとめると、リンク部材６５１は、その一端側（軸受部６１０が形成されている側）がスライド部材５２５の手前側に回動可能に接続され且つ他端側（突起６５５が形成されている側）は光プリントヘッド１０５の手前側に回動可能に接続されている。リンク部材６５１は、リンク部材６５１の一端側が他端側よりもスライド移動の方向における下流側（奥側）に位置するように傾いて配置されている。一方、リンク部材６５２は、一端側がスライド部材５２５の奥側に回動可能に接続され且つ他端側は光プリントヘッド１０５の奥側に回動可能に接続されている。リンク部材６５２は、リンク部材６５２の一端側が他端側よりもスライド移動の方向における下流側（奥側）に位置するように傾いて配置されている。
【００５３】
また、リンク部材６５３は、その一端側（接続軸部５３０が形成されている側）が第３支持部５２６の手前側に回動可能に接続され且つ他端側はリンク部材６５１の一端側と他端側との間に回動可能に接続されている。リンク部材６５３は、リンク部材６５３の一端側がリンク部材の他端側よりもスライド移動する方向における上流側（手前側）となるように傾いた状態で配置されている。リンク部材６５３と第３支持部５２６との接続部分は、スライド部材５２５の手前側の端部よりも装置本体の奥側に位置する。すなわち、スライド部材５２５は、リンク部材６５３より右側を通るように配置されている。なお、スライド部材５２５は、リンク部材６５３より左側を通るように配置されていても構わない。同様に、リンク部材６５４は、その一端側が第３支持部５２６の手前側に回動可能に接続され且つ他端側はリンク部材６５２の一端側と他端側との間に回動可能に接続されている。リンク部材６５４は、リンク部材６５２の一端側がリンク部材の他端側よりもスライド移動する方向における上流側（手前側）となるように傾いた状態で配置されている。
【００５４】
以上の構成により、スライド部材５２５が第３支持部５２６に対して手前側から奥側へスライド移動すると、スライド部材５２５と共に軸受部６１０に嵌合した嵌合軸部５３４が第３支持部５２６に対して手前側から奥側へスライド移動する。これにより、図７（ａ）に示すように第１リンク機構８６１を右側から見た時、リンク部材６５１は嵌合軸部５３４の中心軸を回動中心として時計回りに回動する。また、リンク部材６５３は接続軸部５３０を回動中心として反時計回りに回動する。リンク部材６５１とリンク部材６５３とが前述のように回動することによって、突起６５５が露光位置から退避位置へと向かう方向へ移動する。
【００５５】
一方、スライド部材５２５が、第３支持部５２６に対して奥側から手前側へスライド移動するとスライド部材５２５と共に軸受部６１０に嵌合した嵌合軸部５３４が第３支持部５２６に対して奥側から手前側へスライド移動する。これにより、図７（ａ）に示すように第１リンク機構８６１を右側から見た時、リンク部材６５１は嵌合軸部５３４の中心軸を回動中心として反時計回りに回動する。また、リンク部材６５３は接続軸部５３０を回動中心として時計回りに回動する。リンク部材６５１とリンク部材６５３とが前述のように回動することによって、突起６５５は退避位置から露光位置へと向かう方向へ移動する。
【００５６】
ここで、第１リンク機構８６１を前後方向で逆の構造、すなわち第１リンク部材６５１の一端側の方が第３リンク部材６５３の一端側よりも手前側となるように配置し、第２リンク機構８６２を前後方向で逆の構造、すなわち第２リンク部材の一端側が第４リンク部材の一端側よりも手前側となるように配置しても構わない。このように配置することで、スライド部材５２５が手前側から奥側へスライド移動すると光プリントヘッド１０５が退避位置から露光位置に向けて移動し、スライド部材５２５が奥側から手前側へスライド移動すると光プリントヘッド１０５が露光位置から退避位置に向けて移動する構成となる。この場合、後述するカバー５５８は、開状態から閉状態への移動時にスライド部材５２５を手前側から奥側へ押し込み、閉状態から開状態への移動時にスライド部材５２５を奥側から手前側へ引き込む。
【００５７】
なお、図７（ａ）および（ｂ）に示すように、リンク部材６５３の長手方向の長さはリンク部材６５１の長手方向の長さよりも短い。第１リンク機構８６１及び第２リンク機構８６２はλ型のリンク機構を成している。
【００５８】
ここで、（１）接続軸部５３８の回動中心軸と軸受部６１０の回動中心軸との距離をＬ１、（２）接続軸部５３８の回動中心軸と接続軸部５３０の回動中心軸との距離をＬ２、（３）接続軸部５３８の回動中心軸と突起６５５の回動中心軸との距離をＬ３とする。本実施例において第１リンク機構８６１は、距離Ｌ１、Ｌ２、Ｌ３は互いに等しい、いわゆるスコットラッセル機構を成す（図７（ｂ）参照）。距離Ｌ１、Ｌ２、Ｌ３は等しくすることによって、嵌合軸部５３４のスライド移動方向に対して突起６５５が垂直に移動（図７（ｂ）の点線Ａ上）するため、上記のリンク機構において光プリントヘッド１０５をレンズの略光軸方向に移動させることができる。光プリントヘッド１０５がレンズの略光軸方向に移動する時、保持体５０５の奥側は、第２支持部５２８が備える第１壁面５８８と第２壁面５８９とが形成する間隙内を移動する。これにより、保持体５０５が左右方向に傾倒することを防止する。
【００５９】
（リンク部材とスライド部材との位置関係）
次に、図８〜図１１を用いて、リンク部材（６５１〜６５４）とスライド部材５２５との位置関係について説明する。
【００６０】
図８は移動機構６４０の手前側を説明するための模式図である。図８において、リンク部材７１０は移動機構６４０におけるリンク部材６５１に相当し、リンク部材７１１は移動機構６４０におけるリンク部材６５３に相当する。また、スライド部材７１９は移動機構６４０におけるスライド部材５２５に相当する。スライド部材７１９は、紙面を正面から見たとき、リンク部材７１０とリンク部材７１１の双方よりも紙面の正面側に位置する。すなわち、図６に示すように、スライド部材７１９（スライド部材５２５）は、リンク部材７１０（リンク部材６５１）とリンク部材７１１（リンク部材６５３）とよりも右側に位置する。なお、スライド部材７１９（スライド部材５２５）は、必ずしもリンク部材７１０（リンク部材６５１）とリンク部材７１１（リンク部材６５３）とよりも右側に配置される必要はなく、左側に配置されていても構わない。
【００６１】
リンク部材７１０の一端側は、スライド部材７１９の手前側に形成された突起が嵌合する軸受部７１８を有する。軸受部７１８は、例えば円筒状で中空の孔が形成された軸受である。この軸受部７１８にスライド部材７１９に形成された突起が嵌合する。軸受部７１８は移動機構６４０で言うところの軸受部６１０に相当する。リンク部材７１０は、軸受部７１８に嵌合した突起の中心軸線を回動中心軸としてスライド部材７１９に対して回動する。言い換えれば、リンク部材７１０はスライド部材７１９の手前側に回動可能に接続されている。図８においては図示していないが、リンク部材６５１と同様、リンク部材７１０の他端側は光プリントヘッド１０５の手前側に回動可能に接続されている。
【００６２】
リンク部材７１１の一端側は、スライド部材７１９の手前側の端部よりも奥側において装置本体に対して固定された部材に回動可能に接続されている。リンク部材７１１の一端側には接続軸部７１７が形成されている。この接続軸部７１７が装置本体に固定されて設けられた軸受けに嵌る。接続軸部７１７は、移動機構６４０で言うところの接続軸部５３８に相当する。また、リンク部材７１１は、リンク部材７１１の他端側がリンク部材７１０の一端側と左右方向（リンク部材７１０のスライド部材７１９に対する回動軸線方向）において重なるように配置されている。図８において斜線で示した領域７１５（交差領域）はリンク部材７１０とリンク部材７１１とが左右方向において重なる領域である。この交差領域内においてリンク部材７１０とリンク部材７１１とは互いに回動可能に接続され、接続軸部７１６が形成される。リンク部材７１０（リンク部材７１１）は接続軸部７１６を回動中心としてリンク部材７１１（リンク部材７１０）に対して回動する。
【００６３】
図８（ａ）におけるリンク部材７１０及びリンク部材７１１の位置は、光プリントヘッド１０５が露光位置に位置するときの位置である。また、図８（ｃ）におけるリンク部材７１０及びリンク部材７１１の位置は、光プリントヘッド１０５が退避位置に位置するときの位置である。図８（ｂ）におけるリンク部材７１０及びリンク部材７１１の位置は、光プリントヘッド１０５を露光位置から退避位置に向けて移動させるために回動している途中の状態を示す図である。図８（ａ）の状態からスライド部材７１９が手前側から奥側へと向けてスライド移動すると、リンク部材７１０及びリンク部材７１１がそれぞれ回動する。リンク部材７１０は紙面を正面から見たとき、軸受部７１８に嵌合した時を回動中心として反時計周りに回動し、リンク部材７１１は紙面を正面から見たとき接続軸部７１７を回動中心として時計周りに回動する。これにより、リンク部材７１０の他端側が感光ドラム１０３から離れる方向へ向けて移動する。ここで説明した機構は、図示しないが移動機構６４０と同様、光プリントヘッド１０５の奥側にも設けられている。すなわち、ユーザやサービスマン等の作業者によって、スライド部材７１９が手前側から奥側へ向けてスライド移動されると光プリントヘッド１０５は露光位置から退避位置に向けて移動する。
【００６４】
ここで、光プリントヘッド１０５が退避位置に位置する状態を示す図８（ｃ）に着目する。前述したように、スライド部材７１９は紙面を正面から見たときに、リンク部材７１０とリンク部材７１１とよりも正面側に位置するように配置されている。そのため、リンク部材７１０とリンク部材７１１とが、光プリントヘッド１０５を露光位置から退避位置へ向けて移動させるために回動したとき、交差領域７１５の少なくとも一部の領域とスライド部材７１９とが左右方向において重なる。図８（ａ）〜（ｃ）に示すように、スライド部材７１９が手前側から奥側に向けて移動されることに連動して、リンク部材７１０とリンク部材７１１とが回動していくと、交差領域７１５が感光ドラム１０３から離れる方向へ向けて移動する。なお、光プリントヘッド１０５が退避位置に移動した場合に、交差領域７１５の全領域がスライド部材７１９と左右方向において重なってもより、交差領域７１５が感光ドラム１０３から離れるほど、光プリントヘッド１０５も感光ドラム１０３から離れた位置に位置することになる。
【００６５】
図９は従来技術を説明するための比較例としての図である。スライド部材７２９は、紙面を正面から見たとき、リンク部材７２１よりも紙面の正面側かつリンク部材７２０よりも閉めの奥側に位置する。すなわち、スライド部材７２９とリンク部材７２１とリンク部材７２０の配置は、スライド部材７２９をリンク部材７２１の回動中心軸の方向に関して一方側と他方側とからリンク部材７２１とリンク部材７２０とで挟むような配置になっている。
【００６６】
リンク部材７２１の一端側は、スライド部材７２９の手前側に形成された突起が嵌合する軸受部７２８を有する。軸受部７２８は、例えば円筒状で中空の孔が形成された軸受である。この軸受部７２８にスライド部材７２９に形成された突起が嵌合する。軸受部７２８は移動機構６４０で言うところの軸受部６１０に相当する。この突起がスライド部材７２９に形成された孔に嵌合することで、軸受部７２８が形成される。リンク部材７２１は、軸受部７２８に嵌合した突起の中心軸を回動中心軸としてスライド部材７２９に対して回動する。言い換えれば、リンク部材７２１はスライド部材７２９の手前側に回動可能に接続されている。図９においては図示していないが、リンク部材７２１の他端側は光プリントヘッド１０５の手前側に回動可能に接続されている。
【００６７】
リンク部材７２０の一端側は、スライド部材７２９の手前側の端部よりも奥側において装置本体に対して固定された部材に回動可能に接続され、接続軸部７２７を形成する。また、リンク部材７２０は、リンク部材７２０の他端側がリンク部材７２１の一端側と左右方向（リンク部材７２１のスライド部材７２９に対する回動軸線方向）において重なるように配置されている。図９において斜線で示した領域７２５（交差領域）はリンク部材７２０とリンク部材７２１とが左右方向において重なる領域である。この交差領域内においてリンク部材７２０とリンク部材７２１とは互いに回動可能に接続され、接続軸部７２６が形成される。リンク部材７２０（リンク部材７２１）は接続軸部７２６を回動中心としてリンク部材７２１（リンク部材７２０）に対して回動する。
【００６８】
図９（ａ）におけるリンク部材７２０及びリンク部材７２１の位置は、光プリントヘッド１０５が露光位置に位置するときの位置である。また、図９（ｂ）におけるリンク部材７２０及びリンク部材７２１の位置は、光プリントヘッド１０５が退避位置に位置するときの位置である。図９（ａ）の状態からスライド部材７２９が手前側から奥側へと向けてスライド移動すると、リンク部材７２０及びリンク部材７２１がそれぞれ回動する。リンク部材７２０は紙面を正面から見たとき、軸受部７２８に嵌合した突起の中心軸を回動中心として反時計周りに回動し、リンク部材７２１は紙面を正面から見たとき接続軸部７２７を回動中心軸として時計周りに回動する。これにより、リンク部材７２０の他端側が感光ドラム１０３から離れる方向へ向けて移動する。ここで説明した機構は、図示しないが移動機構６４０と同様、光プリントヘッド１０５の奥側にも設けられている。すなわち、ユーザやサービスマン等の作業者によって、スライド部材７２９が手前側から奥側へ向けてスライド移動されると光プリントヘッド１０５は露光位置から退避位置に向けて移動する。
【００６９】
ここで、光プリントヘッド１０５が退避位置に位置する状態を示す図９（ｂ）に着目する。前述したように、スライド部材７２９は紙面を正面から見たときに、リンク部材７２０より正面側かつリンク部材７２１より奥側に位置するように配置されている。そのため、リンク部材７２０とリンク部材７２１とが、光プリントヘッド１０５を露光位置から退避位置へ向けて移動させるために回動したとき、交差領域７２５とスライド部材７２９とが左右方向において重なることはない。リンク部材７２０とリンク部材７２１とが、光プリントヘッド１０５を露光位置から退避位置へ向けて移動させるために回動していくと、スライド部材７２９の上部がリンク部材７２０やリンク部材７２１と接触してしまう。本発明の機構を示す図８と従来の機構を示す図９とを比較することにより、リンク部材７２０とリンク部材７２１それぞれの回動可能量は制限されてしまっていることが分かる。
【００７０】
図１０は移動機構６４０の手前側からリンク部材６５１及びリンク部材６５３以外の部材を取り外した状態を模した図である。図１０において、リンク部材７１０は移動機構６４０におけるリンク部材６５１に相当し、リンク部材７１１は移動機構６４０におけるリンク部材６５３に相当する。また、スライド部材７１９は移動機構６４０におけるスライド部材５２５に相当する。なお、図１０（ａ）〜（ｃ）におけるリンク部材７１０とリンク部材７１１の状態は、図８（ａ）〜（ｃ）におけるリンク部材７１０とリンク部材７１１の状態に対応する。
【００７１】
図１０において斜線で示す領域７３０は、リンク部材７１０よりスライド移動の方向における上流側（手前側）の領域とリンク部材７１１よりスライド移動の方向における下流側（奥側）の領域とが左右方向（リンク部材７１０のスライド部材７１９に対する回動軸線の方向）において重なる領域を示す。図９を用いて説明した従来技術の機構の場合、スライド部材７２９はこの領域７３０を通過しているが、図８を用いて説明した本発明の機構の場合、スライド部材７１９は領域７３０の外部に配置されている。従来の機構のように、スライド部材７２９が領域７３０内に配置されていた場合、スライド部材７２９が手前側から奥側へ向けてスライド移動されてリンク部材７２０とリンク部材７２１とが回動していくと、リンク部材７２０やリンク部材７２１がスライド部材７２９に接触してしまう。一方、本発明の移動機構６４０のように、スライド部材７１９が領域７３０外に配置されていた場合、スライド部材７２９が手前側から奥側へ向けてスライド移動されてリンク部材７２０とリンク部材７２１とが回動しても、リンク部材７２０やリンク部材７２１がスライド部材７２９に接触することはない。
【００７２】
また、従来の機構のように、リンク部材７２０やリンク部材７２１がスライド部材７２９に接触してしまうことを防ぐため、スライド部材７２９をリンク部材７２０とリンク部材７２１とよりも下方に配置する方法も考え得る。すなわち、スライド部材７２９を領域７３０と上下方向（光プリントヘッド１０５の長手方向とリンク部材７２１の回動軸線の方向との双方に垂直な方向）において重なる位置に配置する方法である。しかし、このように配置した場合、露光ユニット全体が上下方向に大型化することになり望ましくない。加えて、露光ユニット全体として上下方向に大型化してしまうと、結果として光プリントヘッド１０５が感光ドラム１０３に近付いて配置されることになってしまう。本実施例の移動機構６４０においても、スライド部材５２５は、リンク部材６５１〜６５４と上下方向において重なる位置には配置されていない。
【００７３】
図１１は移動機構６４０の手前側の概略斜視図である。図１１において斜線で示す領域６３０は、リンク部材６５１より手前側の領域とリンク部材６５３より奥側の領域とが左右方向において重なる領域を示す。図１０を用いて説明したように、スライド部材５２５は領域６３０内には配置されていない。スライド部材５２５は領域６３０に対して左右方向に間隔をあけて配置されている。
【００７４】
（カートリッジカバー）
次に図１２を用いてカバー５５８について説明する。
【００７５】
図１２（ａ）は移動機構６４０に取り付けられたカバー５５８を右側から見た斜視図、図１２（ｂ）は移動機構６４０に取り付けられたカバー５５８を左側から見た斜視図、図１２（ｃ）はカバー５５８が取り付けられた前側板６４２を説明する図、図１２（ｄ）はカバー５５８を不図示とした前側板６４２の図である。ユーザやメンテナンス者などの作業者は、カバー５５８を開状態（図１２（ｃ））にすることでドラムユニット５１８を装置本体から取り外すことができる。閉じられたカバー５５８はドラムユニット５１８、現像ユニット６４１の挿抜経路上に位置する。そのため、カバー５５８が閉状態であると、作業者はドラムユニット５１８、現像ユニット６４１の交換作業を行うことができない。作業者は、カバー５５８を開くことによってドラムユニット５１８を交換することができ、作業終了後にカバー５５８を閉じる。
【００７６】
図１２（ａ）および図１２（ｂ）に示すように、カバー５５８は回動軸部（５５９、５６０）と加圧部５６１とを備える。回動軸部５５９はカバー５５８の右側に突出する円柱形状の突起である。一方、回動軸部５６０はカバー５５８の左側に突出する円柱形状の突起である。なお、回動軸線５６３は、回動軸部（５５９、５６０）を回動中心として回動するカバー５５８の回動中心軸である。
【００７７】
図１２（ｂ）に示すように、加圧部５６１は、カバー５５８が前側板６４２に取り付けられた状態の時、スライド部材５２５の手前側に設けられたスペース内に位置する。カバー５５８が回動軸線５６３を回動中心として回動すると、その回動に連動して加圧部５６１がスライド部材５２５を前後方向に移動させる。具体的には、作業者がカバー５５８を閉状態から開状態に向けて回動させると、加圧部５６１はスライド部材５２５を手前側から奥側へ向けて移動させる。スライド部材５２５が手前側から奥側へ向けて移動することに連動して光プリントヘッド１０５は露光位置から退避位置へ向けて移動する。すなわち、作業者がカバー５５８を開けると光プリントヘッド１０５が退避位置へ向けて移動し、感光ドラム１０３と光プリントヘッド１０５との間隔が広がる。これにより、作業者はドラムユニット５１８を光プリントヘッド１０５に接触させることなく、ドラムユニット５１８の交換作業を行うことができる。一方、作業者がカバー５５８を開状態から閉状態に向けて回動させると、加圧部５６１はスライド部材５２５を奥側から手前側へ向けて移動させる。スライド部材５２５が奥側から手前側へ向けて移動することに連動して光プリントヘッド１０５は退避位置から露光位置へ向けて移動する。
【００７８】
なお、スライド部材５２５をスライド移動させる構成はカバー５５８に限定されるものではない。例えば、不図示の前扉の開閉に連動してスライド部材５２５がスライド移動するように構成しても良い。また、カバー５５８や扉のような被覆部材ではなく、レバーのような回動部材の回動に連動してスライド部材５２５がスライド移動するように構成しても良い。
【００７９】
図１２（ｃ）および図１２（ｄ）に示すように、前側板６４２には、カバー５５８の回動軸部５５９が嵌合する軸受部材６２１と、回動軸部５６０が嵌合する軸受部材６２２が設けられている。そして、図１２（ｃ）に示すように、カバー５５８の回動軸部５５９が前側板６４２の軸受部材６２１に回動可能に嵌合し、回動軸部５６０が前側板６４２の軸受部材６２２に回動可能に嵌合している。
【００８０】
以上、本実施例によれば、図９の比較例に示した従来の構造よりも光プリントヘッド１０５を感光ドラム１０３から退避させることが出来る。
【符号の説明】
【００８１】
１０５  光プリントヘッド
５００  ＬＥＤ露光ユニット
５０５  保持体
５２５  スライド部材
６３０  領域
６４０  移動機構
６５１  リンク部材
６５３  リンク部材
６５５  突起
７１０  リンク部材
７１１  リンク部材
７１５  交差領域
７１６  接続軸部
７１７  接続軸部
７１８  軸受部
７１９  スライド部材
７３０  領域
８６１  リンク機構
【図１】
2019200240.tif 000003
【図２】
2019200240.tif 000004
【図３】
2019200240.tif 000005
【図４】
2019200240.tif 000006
【図５】
2019200240.tif 000007
【図６】
2019200240.tif 000008
【図７】
2019200240.tif 000009
【図８】
2019200240.tif 000010
【図９】
2019200240.tif 000011
【図１０】
2019200240.tif 000012
【図１１】
2019200240.tif 000013
【図１２】
2019200240.tif 000014